(57)【要約】【課題】立脚型の提灯において、基台に対して脚をワンタッチで取り付け及び取り外しできるようにする。【解決手段】基台２０に脚保持部１３０を配設し、脚５０の上端の脚挿着部２１０を脚保持部１３０の下側収容空間に挿入して、脚挿着部２１０の係止凹部２１４に脚保持部１３０の係止片１６０の係止突部１６３を嵌合して係止することにより、脚挿着部２１０を脚保持部１３０に装着して固定することで、脚５０を基台２０に取り付ける。脚保持部１３０の上側収容空間のプッシュボタン１４０を押下げることにより、脚保持部１３０の下側収容空間内で解除部材１７０が係止片１６０の係止突部１６３による係止を解除することで、脚５０を基台２０から取り外す。【選択図】図１
2011165473.tif 000002
【特許請求の範囲】
【請求項１】
立脚型の提灯の基台の下面側に脚の上端部を取り付ける提灯の脚の取付構造であって、
脚の上端に配設された脚挿着部と、
基台における脚の取付位置に配設されて前記脚挿着部を保持自在な脚保持部とを備え、
前記脚挿着部は、
脚の上端から上方に突出する筒状または柱状をなすと共に、側面に凹部または凸部からなる脚側係止部を有し、
前記脚保持部は、
軸方向が前記基台の厚さ方向となるよう前記基台に埋設される筒状をなすと共に、内部空間として、前記基台の上面側に配置される上側収容空間と、前記基台の下面側に配置される下側収容空間とを有し、前記下側収容空間を前記脚挿着部の外形に対応する空間形状として前記脚挿着部を挿入及び収容自在とした基部と、
前記基部の上側収容空間に配設されて上下動自在とされ、下方に弾性的に押し下げ操作自在な押圧部と、
前記基部の下側収容空間において前記脚挿着部を前記下側収容空間に収容したときに前記脚側係止部に対応する部位に配設され、前記脚挿着部を前記下側収容空間に収容したときに前記脚挿着部の脚側係止部を凹凸の関係で係止する凸部または凹部を有する基部側係止部と、
前記基部の内部において前記押圧部に連結された連結部と、
前記基部の下側収容空間における上方位置である原位置に配設され、前記押圧部の押し下げ操作により前記連結部を介して前記原位置から下方の解除位置に移動すると共に、前記押圧部の押し下げ操作の解除により前記連結部を介して前記解除位置から前記原位置に復帰する解除部とを備え、
前記解除部は、前記脚挿着部を前記下側収容空間に収容した状態で、前記押圧部の押し下げ操作により前記解除位置となることで、前記基部側係止部による前記脚側係止部の係止を解除する
ことを特徴とする提灯の脚の取付構造。
【請求項２】
前記脚挿着部は、更に、前記脚側係止部を設けた側面以外の側面に、長さ方向に直線的に延びる凹部または凸部からなる脚側案内部を備え、
前記脚保持部は、更に、前記基部の下側収容空間において前記脚挿着部を前記下側収容空間に収容したときに前記脚側案内部に対応する部位に配設され、前記脚挿着部を前記下側収容空間に収容したときに前記脚挿着部の脚側案内部と凹凸の関係で嵌合して当該脚挿着部の挿入動作を案内する凸部または凹部からなる基部側案内部を備え、
前記脚挿着部の上端部を前記脚保持部の下側収容空間に挿入した状態では、互いに嵌合状態となる前記脚側案内部及び前記基部側案内部のそれぞれの幅方向における対向側面の間に所定の間隙が設けられるよう、かつ、前記脚挿着部の全体を前記脚保持部の下側収容空間に挿入した状態では、互いに嵌合状態となる前記脚側案内部及び前記基部側案内部のそれぞれの幅方向における対向側面が密接状態となるよう、前記脚側案内部の幅と前記基部側案内部の幅とを設定したことを特徴とする請求項1記載の提灯の脚の取付構造。
【請求項３】
前記脚側係止部は、前記脚挿着部において幅方向に対向する一対の側面の先端部にそれぞれ設けた一対の係止凹部であり、
前記基部側係止部は、前記基部の下側収容空間において１８０度の角度間隔をおいた位置に対向配置されると共に、前記基部の軸方向に沿って延びる一対の板状の弾性体からなる係止片であり、
前記一対の係止片は、それぞれ、前記脚挿着部を前記下側収容空間に収容したときに前記係止凹部に整合する部位に、前記係止凹部に嵌合して前記脚挿着部を係止する係止突部を配設し、
前記一対の係止片の対向側面間の間隔は、その基端から前記係止突部までの部分では、前記脚挿着部を前記基部の下側収容空間に挿入するときに当該一対の係止片が前記脚挿着部の前記係止凹部を設ける一対の側面を弾性的に押圧しないよう、前記脚挿着部の前記係止凹部を設ける一対の側面間の間隔以上の間隔とされ、
前記一対の係止片は、前記脚挿着部を前記基部の下側収容空間に挿入して前記脚挿着部の係止凹部よりも先端側の部分が前記係止突部に当接してから当該係止突部を乗り越えるときに、前記下側収容空間内で互いに離間する方向に弾性変形して、前記脚挿着部の係止凹部よりも先端側の部分が前記係止突部を乗り越えることを許容すると共に、前記脚挿着部の係止凹部よりも先端側の部分が前記係止突部を完全に乗り越えたときに弾性復帰して、前記係止突部を前記脚挿着部の係止凹部に嵌合することにより、前記脚挿着部の係止凹部よりも先端側の部分が前記係止突部に当接してから当該係止突部を完全に乗り越えるまでの距離範囲で、前記脚挿着部の基端の外周にある前記脚の上端面が前記基部の下端面に衝突して打撃音を発生するようにしたことを特徴とする請求項１または２記載の提灯の脚の取付構造。
【請求項４】
前記解除部は、
当該解除部が前記原位置にあるときに、前記基部の下側収容空間において前記一対の係止片の上端に離間状態で対向する一対の係合部と、
前記一対の係合部の下面から突出する一対の押圧突起とを有し、
前記一対の係合部は、前記解除部が前記押圧部の押し下げ操作により前記連結部を介して前記原位置から下方の解除位置に移動したときに、前記一対の係止片の上端に当接して当該一対の係止片を外方に弾性変形させ、
前記一対の押圧突起は、前記解除部を前記押圧部の押し下げ操作により前記連結部を介して前記解除位置から更に下方に移動することにより、前記脚挿着部の上端面に当接して当該脚挿着部を強制的に前記基部の下側収容空間から下方に押し出すことを特徴とする請求項３記載の提灯の脚の取付構造。
【請求項５】
前記基部は、前記基台の上面から上方に突出する部分を有すると共に、前記基台の半径方向に沿って一対の切欠部を並設配置し、
前記基部は、前記基台の上面から上方に突出する部分の内部空間を前記上側収容空間として、当該上側収容空間に前記押圧部を配設していることを特徴とする請求項１乃至４のいずれか１項記載の提灯の脚の取付構造。
【請求項６】
立脚型の提灯の基台の下面側に脚の上端部を取り付ける提灯の脚の取付構造で使用される保持部材であって、
基台における脚の取付位置に配設されて、当該脚の上端から上方に突出する筒状または柱状をなすと共に、側面に凹部または凸部からなる脚側係止部を有する脚挿着部を保持自在な脚保持部を備え、
前記脚保持部は、
軸方向が前記基台の厚さ方向となるよう前記基台に埋設される筒状をなすと共に、内部空間として、前記基台の上面側に配置される上側収容空間と、前記基台の下面側に配置される下側収容空間とを有し、前記下側収容空間を前記脚挿着部の外形に対応する空間形状として前記脚挿着部を挿入及び収容自在とした基部と、
前記基部の上側収容空間に配設されて上下動自在とされ、下方に弾性的に押し下げ操作自在な押圧部と、
前記基部の下側収容空間において前記脚挿着部を前記下側収容空間に収容したときに前記脚側係止部に対応する部位に配設され、前記脚挿着部を前記下側収容空間に収容したときに前記脚挿着部の脚側係止部を凹凸の関係で係止する凸部または凹部を有する基部側係止部と、
前記基部の内部において前記押圧部に連結された連結部と、
前記基部の下側収容空間における上方位置である原位置に配設され、前記押圧部の押し下げ操作により前記連結部を介して前記原位置から下方の解除位置に移動すると共に、前記押圧部の押し下げ操作の解除により前記連結部を介して前記解除位置から前記原位置に復帰する解除部とを備え、
前記解除部は、前記脚挿着部を前記下側収容空間に収容した状態で、前記押圧部の押し下げ操作により前記解除位置となることで、前記基部側係止部による前記脚側係止部の係止を解除する
ことを特徴とする提灯の脚の取付構造の保持部材。
【請求項７】
盤状の基台と、
前記基台の上面側に下端部が着脱自在に取り付けられる支柱と、
前記支柱により支持される火袋と、
前記基台の下面側に上端部が着脱自在に取り付けられる複数本の脚と、
前記複数本の脚間を掛け渡して連結する脚連結具とを備えた立脚型の提灯であって、
前記脚の上端部として当該脚の上端に配設された脚挿着部と、
前記基台における前記脚の取付位置に配設されて前記脚挿着部を保持自在な脚保持部とを備え、
前記脚挿着部は、
脚の上端から上方に突出する筒状または柱状をなすと共に、側面に凹部または凸部からなる脚側係止部を有し、
前記脚保持部は、
軸方向が前記基台の厚さ方向となるよう前記基台に埋設される筒状をなすと共に、内部空間として、前記基台の上面側に配置される上側収容空間と、前記基台の下面側に配置される下側収容空間とを有し、前記下側収容空間を前記脚挿着部の外形に対応する空間形状として前記脚挿着部を挿入及び収容自在とした基部と、
前記基部の上側収容空間に配設されて上下動自在とされ、下方に弾性的に押し下げ操作自在な押圧部と、
前記基部の下側収容空間において前記脚挿着部を前記下側収容空間に収容したときに前記脚側係止部に対応する部位に配設され、前記脚挿着部を前記下側収容空間に収容したときに前記脚挿着部の脚側係止部を凹凸の関係で係止する凸部または凹部を有する基部側係止部と、
前記基部の内部において前記押圧部に連結された連結部と、
前記基部の下側収容空間における上方位置である原位置に配設され、前記押圧部の押し下げ操作により前記連結部を介して前記原位置から下方の解除位置に移動すると共に、前記押圧部の押し下げ操作の解除により前記連結部を介して前記解除位置から前記原位置に復帰する解除部とを備え、
前記解除部は、前記脚挿着部を前記下側収容空間に収容した状態で、前記押圧部の押し下げ操作により前記解除位置となることで、前記基部側係止部による前記脚側係止部の係止を解除する
ことを特徴とする提灯。
【発明の詳細な説明】
【技術分野】
【０００１】
本発明は、複数本（通常は３本）の下足と呼ばれる脚を備える立脚型または自立式の提灯（一般に「大内行灯」と呼ばれるタイプの提灯）に関し、特に、立脚型の提灯においてツバまたはロクロと呼ばれる円盤状の基台に対して複数本の脚を取り付ける提灯の脚の取付構造、当該脚の取付構造で使用される保持部材、及び、当該脚の取付構造を備えた提灯に関するものである。
【背景技術】
【０００２】
従来、この種の技術として、例えば、特許文献１に記載の技術がある。特許文献１には、円盤状の基台の下面側の脚用の取付凹部及び上足と呼ばれる支柱用の取付凹部の加工作業性、並びに、基台に対する脚の取付部である取付凸部及び取付部である取付凸部の加工作業性を改善することができる提灯が開示されている。具体的には、この提灯は、基台の上面に、支柱を上下に延びるよう取り付けるための上側凹部を形成している。支柱の下端には、基台の上側凹部に対応する形状の嵌合突部を一体形成すると共に、嵌合突部の水平方向略中央に上下に延びる割溝を形成している。また、基台の下面には、脚を上下に延びるよう取り付けるための下側凹部を形成している。更に、脚の上端には、基台の下側凹部に対応する形状の嵌合突部を一体形成すると共に、嵌合突部の水平方向略中央に上下に延びる割溝を形成している。
【０００３】
この提灯によれば、支柱または脚の突部及び基台の対応する凹部の加工作業性、及び、支柱または脚の基台への取付作業性を改善することができると共に、取付後における脚連結具の脚からの脱落を効果的に防止することができる。
【先行技術文献】
【特許文献】
【０００４】
【特許文献１】特開２００２−３１９３０１号公報
【発明の概要】
【発明が解決しようとする課題】
【０００５】
ここで、本発明者らは、立脚型の提灯の脚の取付構造について鋭意研究を重ねた結果、全く新しい発想に基づく立脚型の提灯の脚の取付構造について着想した。そして、本発明者らは、この着想を具体化すべく、各種の試行錯誤及び鋭意研究を重ねた結果、具体的な製品に適用可能な提灯の脚の取付構造を発明した。
【０００６】
即ち、本発明は、立脚型の提灯において、その組み立て時には基台に対して複数の脚をそれぞれワンタッチで簡単かつ迅速に装着できると共に、基台に対する脚の装着後はガタつきのない装着状態を安定的に維持することができ、一方、脚の分解時には基台から複数の脚をワンタッチで簡単かつ迅速に取り外すことができる提灯の脚の取付構造、当該脚の取付構造で使用される保持部材、及び、当該脚の取付構造を備えた提灯の提供を課題とする。
【課題を解決するための手段】
【０００７】
請求項１に係る提灯の脚の取付構造は、立脚型の提灯の基台の下面側に脚の上端部を取り付けるためのものであって、脚の上端に配設された脚挿着部と、基台における脚の取付位置に配設されて前記脚挿着部を保持自在な脚保持部とを備える。前記脚挿着部は、脚の上端から上方に突出する筒状または柱状をなすと共に、側面に凹部または凸部からなる脚側係止部を有する。一方、前記脚保持部は、軸方向が前記基台の厚さ方向となるよう前記基台に埋設される筒状をなす。また、脚保持部は基部を有し、基部は、内部空間として、前記基台の上面側に配置される上側収容空間と、前記基台の下面側に配置される下側収容空間とを有する。基部は、前記下側収容空間を前記脚挿着部の外形に対応する空間形状として、前記脚挿着部を挿入及び収容自在としている。押圧部が、前記基部の上側収容空間に配設されて上下動自在とされ、下方に弾性的に押し下げ操作自在となっている。基部側係止部が、前記基部の下側収容空間において前記脚挿着部を前記下側収容空間に収容したときに前記脚側係止部に対応する部位に配設され、前記脚挿着部を前記下側収容空間に収容したときに前記脚挿着部の脚側係止部を凹凸の関係で係止する凸部または凹部を有する。基部側係止部と、前記基部の内部において前記押圧部に連結された連結部と、前記基部の下側収容空間における上方位置である原位置に配設され、前記押圧部の押し下げ操作により前記連結部を介して前記原位置から下方の解除位置に移動すると共に、前記押圧部の押し下げ操作の解除により前記連結部を介して前記解除位置から前記原位置に復帰する解除部とを備える。前記解除部は、前記脚挿着部を前記下側収容空間に収容した状態で、前記押圧部の押し下げ操作により前記解除位置となることで、前記基部側係止部による前記脚側係止部の係止を解除する。
【０００８】
請求項２に係る提灯の脚の取付構造は、請求項１の構成において、前記脚挿着部が、更に、前記脚側係止部を設けた側面以外の側面に、長さ方向に直線的に延びる凹部または凸部からなる脚側案内部を備える。一方、請求項２に係る提灯の脚の取付構造は、前記脚保持部が、更に、前記基部の下側収容空間において前記脚挿着部を前記下側収容空間に収容したときに前記脚側案内部に対応する部位に配設され、前記脚挿着部を前記下側収容空間に収容したときに前記脚挿着部の脚側案内部と凹凸の関係で嵌合して当該脚挿着部の挿入動作を案内する凸部または凹部からなる基部側案内部を備える。前記脚挿着部の上端部を前記脚保持部の下側収容空間に挿入した状態では、互いに嵌合状態となる前記脚側案内部及び前記基部側案内部のそれぞれの幅方向における対向側面の間に所定の間隙が設けられるよう、かつ、前記脚挿着部の全体を前記脚保持部の下側収容空間に挿入した状態では、互いに嵌合状態となる前記脚側案内部及び前記基部側案内部のそれぞれの幅方向における対向側面が密接状態となるよう、前記脚側案内部の幅と前記基部側案内部の幅とを設定した。
【０００９】
請求項３に係る提灯の脚の取付構造は、請求項１または２の構成において、前記脚側係止部が、前記脚挿着部において幅方向に対向する一対の側面の先端部にそれぞれ設けた一対の係止凹部である一方、前記基部側係止部が、前記基部の下側収容空間において１８０度の角度間隔をおいた位置に対向配置されると共に、前記基部の軸方向に沿って延びる一対の板状の弾性体からなる係止片である。前記一対の係止片は、それぞれ、前記脚挿着部を前記下側収容空間に収容したときに前記係止凹部に整合する部位に、前記係止凹部に嵌合して前記脚挿着部を係止する係止突部を配設している。前記一対の係止片の対向側面間の間隔は、その基端から前記係止突部までの部分では、前記脚挿着部を前記基部の下側収容空間に挿入するときに当該一対の係止片が前記脚挿着部の前記係止凹部を設ける一対の側面を弾性的に押圧しないよう、前記脚挿着部の前記係止凹部を設ける一対の側面間の間隔以上の間隔とされている。また、前記一対の係止片は、前記脚挿着部を前記基部の下側収容空間に挿入して前記脚挿着部の係止凹部よりも先端側の部分が前記係止突部に当接してから当該係止突部を乗り越えるときに、前記下側収容空間内で互いに離間する方向に弾性変形して、前記脚挿着部の係止凹部よりも先端側の部分が前記係止突部を乗り越えることを許容すると共に、前記脚挿着部の係止凹部よりも先端側の部分が前記係止突部を完全に乗り越えたときに弾性復帰して、前記係止突部を前記脚挿着部の係止凹部に嵌合することにより、前記脚挿着部の係止凹部よりも先端側の部分が前記係止突部に当接してから当該係止突部を完全に乗り越えるまでの距離範囲で、前記脚挿着部の基端の外周にある前記脚の上端面が前記基部の下端面に衝突して打撃音を発生するようにした。
【００１０】
請求項４に係る提灯の脚の取付構造は、請求項３の構成において、前記解除部が前記原位置にあるときに、前記基部の下側収容空間において前記一対の係止片の上端に離間状態で対向する一対の係合部と、前記一対の係合部の下面から突出する一対の押圧突起とを有する。前記一対の係合部は、前記解除部が前記押圧部の押し下げ操作により前記連結部を介して前記原位置から下方の解除位置に移動したときに、前記一対の係止片の上端に当接して当該一対の係止片を外方に弾性変形させる。そして、前記一対の押圧突起は、前記解除部を前記押圧部の押し下げ操作により前記連結部を介して前記解除位置から更に下方に移動することにより、前記脚挿着部の上端面に当接して当該脚挿着部を強制的に前記基部の下側収容空間から下方に押し出す。
【００１１】
請求項５に係る提灯の脚の取付構造は、請求項１乃至４のいずれかの構成において、前記基部が、前記基台の上面から上方に突出する部分を有すると共に、前記基台の半径方向に沿って一対の切欠部を並設配置している。また、請求項５に係る提灯の脚の取付構造は、前記基部が、前記基台の上面から上方に突出する部分の内部空間を前記上側収容空間として、当該上側収容空間に前記押圧部を配設している。
【００１２】
請求項６に係る提灯の脚の取付構造の保持部材は、立脚型の提灯の基台の下面側に脚の上端部を取り付ける提灯の脚の取付構造で使用されるものである。請求項６に係る提灯の脚の取付構造の保持部材は、基台における脚の取付位置に配設されて、当該脚の上端から上方に突出する筒状または柱状をなすと共に、側面に凹部または凸部からなる脚側係止部を有する脚挿着部を保持自在な脚保持部を備える。前記脚保持部は、軸方向が前記基台の厚さ方向となるよう前記基台に埋設される筒状をなすと共に、内部空間として、前記基台の上面側に配置される上側収容空間と、前記基台の下面側に配置される下側収容空間とを有し、前記下側収容空間を前記脚挿着部の外形に対応する空間形状として前記脚挿着部を挿入及び収容自在とした基部と、前記基部の上側収容空間に配設されて上下動自在とされ、下方に弾性的に押し下げ操作自在な押圧部と、前記基部の下側収容空間において前記脚挿着部を前記下側収容空間に収容したときに前記脚側係止部に対応する部位に配設され、前記脚挿着部を前記下側収容空間に収容したときに前記脚挿着部の脚側係止部を凹凸の関係で係止する凸部または凹部を有する基部側係止部と、前記基部の内部において前記押圧部に連結された連結部と、前記基部の下側収容空間における上方位置である原位置に配設され、前記押圧部の押し下げ操作により前記連結部を介して前記原位置から下方の解除位置に移動すると共に、前記押圧部の押し下げ操作の解除により前記連結部を介して前記解除位置から前記原位置に復帰する解除部とを備える。前記解除部は、前記脚挿着部を前記下側収容空間に収容した状態で、前記押圧部の押し下げ操作により前記解除位置となることで、前記基部側係止部による前記脚側係止部の係止を解除する。
【００１３】
請求項７に係る提灯は、盤状の基台と、前記基台の上面側に下端部が着脱自在に取り付けられる支柱と、前記支柱により支持される火袋と、前記基台の下面側に上端部が着脱自在に取り付けられる複数本の脚と、前記複数本の脚間を掛け渡して連結する脚連結具とを備えた立脚型の提灯である。また、請求項７に係る提灯は、前記脚の上端部として当該脚の上端に配設された脚挿着部と、前記基台における前記脚の取付位置に配設されて前記脚挿着部を保持自在な脚保持部とを備える。前記脚挿着部は、脚の上端から上方に突出する筒状または柱状をなすと共に、側面に凹部または凸部からなる脚側係止部を有する。一方、前記脚保持部は、軸方向が前記基台の厚さ方向となるよう前記基台に埋設される筒状をなすと共に、内部空間として、前記基台の上面側に配置される上側収容空間と、前記基台の下面側に配置される下側収容空間とを有し、前記下側収容空間を前記脚挿着部の外形に対応する空間形状として前記脚挿着部を挿入及び収容自在とした基部と、前記基部の上側収容空間に配設されて上下動自在とされ、下方に弾性的に押し下げ操作自在な押圧部と、前記基部の下側収容空間において前記脚挿着部を前記下側収容空間に収容したときに前記脚側係止部に対応する部位に配設され、前記脚挿着部を前記下側収容空間に収容したときに前記脚挿着部の脚側係止部を凹凸の関係で係止する凸部または凹部を有する基部側係止部と、前記基部の内部において前記押圧部に連結された連結部と、前記基部の下側収容空間における上方位置である原位置に配設され、前記押圧部の押し下げ操作により前記連結部を介して前記原位置から下方の解除位置に移動すると共に、前記押圧部の押し下げ操作の解除により前記連結部を介して前記解除位置から前記原位置に復帰する解除部とを備える。前記解除部は、前記脚挿着部を前記下側収容空間に収容した状態で、前記押圧部の押し下げ操作により前記解除位置となることで、前記基部側係止部による前記脚側係止部の係止を解除する。
【発明の効果】
【００１４】
本発明に係る提灯の脚の取付構造、提灯の脚の取付構造の保持部材及び提灯は、立脚型の提灯において、その組み立て時には基台に対して複数の脚をそれぞれワンタッチで簡単かつ迅速に装着できると共に、基台に対する脚の装着後はガタつきのない装着状態を安定的に維持することができ、一方、脚の分解時には基台から複数の脚をワンタッチで簡単かつ迅速に取り外すことができる。
【図面の簡単な説明】
【００１５】
【図１】図１は本発明の実施の形態１に係る提灯の脚の取付構造、提灯の脚の取付構造の保持部材及び提灯の全体構成を示す正面図である。
【図２】図２は本発明の実施の形態１に係る提灯の脚の取付構造、提灯の脚の取付構造の保持部材及び提灯の基台から保持部材と取外した状態を示す底面図である。
【図３】図３は本発明の実施の形態１に係る提灯の脚の取付構造、提灯の脚の取付構造の保持部材及び提灯の基台を示す平面図である。
【図４】図４は本発明の実施の形態１に係る提灯の脚の取付構造、提灯の脚の取付構造の保持部材及び提灯の基台を示す底面図である。
【図５】図５は本発明の実施の形態１に係る提灯の脚の取付構造、提灯の脚の取付構造の保持部材及び提灯の基台を示す正面図である。
【図６】図６は本発明の実施の形態１に係る提灯の脚の取付構造、提灯の脚の取付構造の保持部材及び提灯の基台を示す斜視図である。
【図７】図７は本発明の実施の形態１に係る提灯の脚の取付構造、提灯の脚の取付構造の保持部材及び提灯の第１の保持部材を示し、（ａ）は正面図、（ｂ）は背面図、（ｃ）は右側面図、（ｄ）は左側面図、（ｅ）は平面図である。
【図８】図８は本発明の実施の形態１に係る提灯の脚の取付構造、提灯の脚の取付構造の保持部材及び提灯の第１の保持部材を示し、（ａ）は底面図、（ｂ）は斜視図である。
【図９】図９は本発明の実施の形態１に係る提灯の脚の取付構造、提灯の脚の取付構造の保持部材及び提灯の第２の保持部材を示し、（ａ）は正面図、（ｂ）は背面図、（ｃ）は右側面図、（ｄ）は左側面図、（ｅ）は平面図である。
【図１０】図１０は本発明の実施の形態１に係る提灯の脚の取付構造、提灯の脚の取付構造の保持部材及び提灯の第２の保持部材を示し、（ａ）は底面図、（ｂ）は斜視図である。
【図１１】図１１は図３のＡ−Ａ線断面図である。
【図１２】図１２は本発明の実施の形態１に係る提灯の脚の取付構造、提灯の脚の取付構造の保持部材及び提灯の保持部材の基部及び解除部材を示し、基部のみを略直径方向に切断して基部の内部構造を表す分解断面図である。
【図１３】図１３は本発明の実施の形態１に係る提灯の脚の取付構造、提灯の脚の取付構造の保持部材及び提灯の基部から脚を取外した状態を示すと共に、脚の脚挿着部を拡大して示す説明図である。
【図１４】図１４は本発明の実施の形態１に係る提灯の脚の取付構造、提灯の脚の取付構造の保持部材及び提灯の脚及び脚の脚挿着部を示し、（ａ）は平面図であり、（ｂ）は脚挿着部の係止凹部を有する側面を示す正面図である。
【図１５】図１５は本発明の実施の形態１に係る提灯の脚の取付構造、提灯の脚の取付構造の保持部材及び提灯の脚の脚挿着部を保持部材に装着する動作を示す部分断面図であり、（ａ）は脚挿着部の一部を保持部材内に挿入した状態を示し、（ｂ）は（ａ）より更に脚挿着部を保持部材内に挿入した状態を示す。
【図１６】図１６は本発明の実施の形態１に係る提灯の脚の取付構造、提灯の脚の取付構造の保持部材及び提灯の脚の脚挿着部を保持部材に装着する動作を示す部分断面図であり、（ａ）は脚挿着部のほぼ全体を保持部材内に挿入した状態を示し、（ｂ）は脚挿着部が保持部材に装着した状態を示す。
【図１７】図１７は本発明の実施の形態１に係る提灯の脚の取付構造、提灯の脚の取付構造の保持部材及び提灯の脚の脚挿着部を保持部材から取り外す動作を示す部分断面図であり、（ａ）は脚挿着部が保持部材に装着している状態を示し、（ｂ）はプッシュボタンが押し下げられ脚挿着部が保持部材から係止解除された状態を示す。
【図１８】図１８は本発明の実施の形態１に係る提灯の脚の取付構造、提灯の脚の取付構造の保持部材及び提灯の脚の脚挿着部を保持部材から取り外す動作を示す部分断面図であり、（ａ）は脚挿着部が保持部材内で解除部材に押し出されている状態を示し、（ｂ）は脚挿着部が保持部材の下方に抜け出る状態を示す。
【図１９】図１９は本発明の実施の形態１に係る提灯の脚の取付構造、提灯の脚の取付構造の保持部材及び提灯の基部に脚を取り付ける状態を示す説明図である。
【図２０】図２０は本発明の実施の形態１に係る提灯の脚の取付構造、提灯の脚の取付構造の保持部材及び提灯の基部に支柱を取り付ける動作を示す平面図である。
【図２１】図２１は本発明の実施の形態１に係る提灯の脚の取付構造、提灯の脚の取付構造の保持部材及び提灯の基部に支柱を取り付ける動作を示す背面図であり、（ａ）は基部に支柱が密接して押圧された状態を示し、（ｂ）は基部に支柱が保持して固定された状態を示す。
【発明を実施するための形態】
【００１６】
以下、本発明を実施するための形態（以下、実施の形態という）を説明する。なお、各実施の形態を通じ、同一の部材、要素または部分には同一の符号を付して、その説明を省略する。
【００１７】
実施の形態１
実施の形態１に係る提灯の脚の連結構造は、図１に示すように、大内行灯と呼ばれる立脚型の提灯１０の脚の連結のために適用される。詳細には、提灯１０は、円盤状の基台２０の上面側に２本の支柱３０の下端部を着脱自在に嵌合等によって取付及び固定している。また、２本の支柱３０の上端間には雲手または手と呼ばれる柱連結具３５が掛け渡して着脱自在に固定され、両支柱３０の上端間を連結している。そして、支柱３０の上端の柱連結具３５より下方の位置において、火袋４０が支柱３０により支持されて展開されるようになっている。なお、図１では、内部構造を示すため、火袋４０は仮想線で示している。また、図示はしないが、火袋４０の内部において基台２０の上面側には、ソケット、電球、回転筒等が取り付けられるようになっている。一方、基台２０の下面側には、３本の脚５０の上端部が嵌合等によって取付及び固定されている。各脚５０は、上端から下端に向かって外方に湾曲状に傾斜して広がる形状（略Ｓ字状）をなしている。そして、基台２０に上端部が取り付けられた複数本の脚５０の間を掛け渡すよう、脚連結具７０の装着部７２が複数本の脚５０に対してそれぞれ着脱自在に装着される。また、３本の脚５０における前記脚連結具７０の連結位置、即ち、脚連結具７０の先端に設けた装着部７２の装着位置には、それぞれ、被装着部としての保持部材６０が内装される。保持部材６０は、脚５０の長さ方向の中間部に設けられる。なお、前記基台２０、支柱３０、柱連結具３５、脚５０、及び脚連結具７０は、通常、木製とされるが、その他の材料により形成することも可能である。
【００１８】
［基台］
図２〜図５に示すように、基台２０は円盤状をなし、下端側にリング状のフランジ２１を外方に張り出し形成している。基台２０のフランジ２１より上方の円筒状の外周面は、火袋４０の下輪４１を嵌め込んで固定するための輪止め部２２となっている。基台２０の中心部には、軸方向に貫通する円形の中心孔２３が形成されている。また、基台２０には、中心孔２３に隣接して、中心孔２３に連通する大径孔２４が形成されている。前記基台２０の中心孔２３及び大径孔２４は、電球を支持するソケットを取り付けるために使用される。基台２０の左右には、それぞれ、（合計２個となる）柱用孔２５が形成されている。２個の柱用孔２５は、中心孔２３を中心として放射方向乃至半径方向に対向する位置であって、基台２０の輪止め部２２から半径方向に所定距離だけ内側の位置に配置されている。即ち、２個の柱用孔２５は、基台２０の輪止め部２２から半径方向に所定距離だけ内側の位置の仮想的な円形乃至円周（以下、「仮想円周」という。）上に１８０度の角度間隔をおいて配置されている。各柱用孔２５は、基台２０の上面から下面まで厚さ方向に貫通して延びる所定直径の断面円形の（円柱状の）貫通孔である。また、基台２０の前側、右後側及び左後側には、それぞれ、合計３個となる脚用孔２６が形成されている。３個の脚用孔２６は、基台２０の輪止め部２２から半径方向に前記柱用孔２５と同一の所定距離だけ内側の位置に配置されている。即ち、３個の脚用孔２６は、基台２０の輪止め部２２から半径方向に所定距離だけ内側の位置の前記仮想円周上に１２０度の角度間隔をおいて配置されている。このように、２個の柱用孔２５と３個の脚用孔２６とが、基台２０の周方向において同一円周上となる位置に配置されている。各脚用孔２６は、基台２０の上面から下面まで厚さ方向に貫通して延びる所定直径の断面円形の（円柱状の）貫通孔である。
【００１９】
ここで、右側の柱用孔２５と右後側の脚用孔２６とは、隣接配置されると共に、それらの間（対向部）が連通孔２７により互いに連通されて、基台２０の厚さ方向に同一断面となる異形の一体の貫通孔を形成している。即ち、右側の柱用孔２５と右後側の脚用孔２６とは、連通孔２７により互いに連通されて、全体で断面略眼鏡形状の貫通孔となる第１の保持孔２５，２６，２７を構成している。同様に、左側の柱用孔２５と左後側の脚用孔２６とは、隣接配置されると共に、それらの間（対向部）が連通孔２７により互いに連通されて、全体で断面略眼鏡形状の貫通孔となる第１の保持孔２５，２６，２７を構成している。また、連通孔２７も、柱用孔２５及び脚用孔２６と同一の円周上に配置され、結果として、第１の保持孔２５，２６，２７は、平面視で、前記仮想円周に沿って延びる所定角度の円弧状（第１の保持孔２５から第２の保持孔２６まで延びる円弧状）をなしている。なお、上側の脚用孔２６は単一の貫通孔とされ、第２の保持孔を構成している。更に、基台２０の裏面側（下面側）において、第１の保持孔２５，２６，２７の両端、即ち、柱用孔２５及び脚用孔２６の非連結側である円弧方向の外側には、それぞれ、半楕円形平板状の浅い凹部状をなす収容凹部２８，２９が、前記柱用孔２５及び脚用孔２６の外周に連続して一体形成されている。収容凹部２８，２９は、第１の保持孔２５，２６，２７が描く円弧の延長線上に沿って延びるよう形成されている。同様に、基台２０の裏面側（下面側）において、第２の保持孔としての脚用孔２６の放射方向の両側には、それぞれ、前記収容凹部２８，２９が脚用孔２６の外周に連続して一体形成されている。第２の保持孔２６の収容凹部２８，２９は、第１の保持孔２５，２６，２７に対する収容凹部２８，２９の配置態様と同様、第２の保持孔２６に連続する円弧を描くよう配置されている。このように、第１の保持孔２５，２６，２７及びその収容凹部２８，２９と、第２の保持孔２６及びその収容凹部２８，２９とは、全て、前記仮想円周上に配置されている。
【００２０】
［第１の保持部材］
図６に示すように、基台２０の左右一対の第１の保持孔２５，２６，２７には、それぞれ、第１の保持部材１００が収容保持して固定されている。第１の保持部材１００は、前記第１の保持孔２５，２６，２７に対応して、一対の略円筒体を互いの軸が平行となるよう立設した状態で連結した平面略眼鏡形状の異形連筒状をなしている。詳細には、第１の保持部材１００は、柱保持部１１０と、脚保持部１３０と、柱保持部１１０及び脚保持部１３０を互いに連結する連結部１２０とを備えている。柱保持部１１０は、前記柱用孔２５の形状と同一の外形を有し、柱用孔２５の直径と同一の外径の円筒状をなしている。また、脚保持部１３０は、前記脚用孔２６の形状と同一の外形を有し、脚用孔２６の直径と同一の外径の円筒状をなしている。連結部１２０は、前記連結孔２７の形状と同一の外形を有し、連結孔２７と同一の断面形状で軸方向（基台２０の厚さ方向）に延設されている。また、連結部１２０は、前記柱用孔２５及び脚用孔２６に対する連結孔２７の位置関係乃至配置関係と同一の位置関係乃至配置関係となるよう、柱保持部１１０及び脚保持部１３０間に配設されている。これにより、柱保持部１１０及び脚保持部１３０が、連結部１２０を介して、その平面視で、前記第１の保持孔２５，２６，２７の配置態様である所定角度の円弧状に対応する所定角度の円弧状となっている。更に、図３に示すように、第１の保持部材１００の両端、即ち、柱保持部１１０及び脚保持部１３０の非連結側である円弧方向の両端には、それぞれ、半楕円形平板状の突片状をなす固定部１２５，１２６が一体形成されている。固定部１２５，１２６は、柱保持部１１０、連結部１２０及び脚保持部１３０が描く円弧の延長線上に沿って延びるよう形成されている。固定部１２５，１２６は、中央部に挿通孔（図示略）を貫通形成している。なお、第１の保持部材１００における固定部１２５，１２６の配置態様は、前記第１の保持孔２５，２６，２７に対する収容凹部２８，２９の配置態様と同一となっている。
【００２１】
［柱保持部］
図４〜図６に示すように、柱保持部１１０は、基台２０の輪止め部２２の厚さと同一高さの円筒状をなす基部１１１を備え、基台２０の柱用孔２５に挿入したときに、柱保持部１１０の基部１１１の上端面及び下端面が、それぞれ、基台２０の輪止め部２２の上面及び下面と面一となるようになっている。また、柱保持部１１０の基部１１１の内部には、軸挿通部１１３及び上下一対の凸部挿通部１１４を形成するよう、左右一対の中空壁１１２が一体形成されている。詳細には、一対の中空壁１１２は、それぞれ、略半円形の中空壁の円弧方向中央に隔壁を設けた（２つの略四分円弧状の空間を有する）形状を有し、基部１１１の放射方向の両側に対向配置されている。また、中空壁１１２は、基部１１１の上端面から下側へと所定距離だけ（基部１１１の高さの約１／３程度の距離だけ）延設されている。即ち、基部１１１において中空壁１１２の下側は、単純円形の断面形状となっている。これにより、基部１１１の上側には、前記中空壁１１２の内面間に形成される小円形の軸挿通部１１３が同芯状に形成されると共に、軸挿通部１１３の放射方向両側に、一対の幅狭の直線帯状をなす凸部挿通部１１４が形成されている。一対の凸部挿通部１１４は、第１の保持部材１００の前記円弧方向（基台２０の半径方向と直交する方向）に沿って延びている。
【００２２】
［脚保持部］
図４〜図７に示すように、脚保持部１３０は、柱保持部１１０より所定寸法だけ大きい高さの円筒状をなす基部１３１を備え、基台２０の脚用孔２６に挿入したときに、脚保持部１３０の基部１３１の下端面が基台２０の輪止め部２２の下面と面一となると共に、基部１３１の上端面が基台２０の輪止め部２２の上面から前記所定寸法だけ上方に突出する（即ち、基台２０の上面から前記所定寸法だけ上方に突出する）ようになっている。これにより、保持部材１１０を基台２０に装着した状態で、脚保持部１３０の基部１３１は、柱保持部１１０の基部１１１から前記所定寸法（所定の突出寸法）だけ上方に突出するようになっている。また、基部１３１の上端部には、円盤状の基台２０の円周方向に沿って（前記仮想円形上に）左右一対の支持突部１３２が一体形成されている。これにより、一対の支持突部１３２間には、基台２０の半径方向に沿って前後一対の切欠部１３３が形成配置されている。各支持突部１３２は、上端部の左右両角部を角丸状とした所定高さの角丸矩形状をなし、これに対応して、各切欠部１３３は、基部１３１の上端面から下方に前記所定高さだけ延設された凹部状をなす。脚保持部１３０の支持突部１３２及び切欠部１３３の高さは、前記脚保持部１３０の柱保持部１１０からの突出寸法より小さい高さ（好ましくは、１／２〜１／３程度の高さ）とされる。また、脚保持部１３０の凹部１３３の周方向長さは、通常の人の指先部分（特に親指の第１指の主要部分）を収容できる程度の長さにすることが好ましい。
【００２３】
［着脱機構］
図８〜図９に示すように、脚保持部１３０の基部１３１の内部には、着脱機構１４０，１５０，１６０，１７０が配設され、脚５０の上端部を押し込み動作（プッシュ動作）によりワンタッチで装着自在とすると共に、ボタン押圧動作（プッシュ動作）によりワンタッチで取り外し自在としている。着脱機構は、プッシュボタン１４０、案内部１５０、係止片１６０及び解除部材１７０を備えている。詳細には、基部１３１内において前記切欠部１３３の下端より更に下方の位置には、水平方向（基台２０と平行な面上）に延びる隔壁１３５が一体形成されている。隔壁１３５の中心部には小径の円形の挿通孔１３６が穿設されている。隔壁１３５は、基部１３１の基台２０への装着状態で、基台２０の上面より若干上方の位置に配置される。また、基部１３１の内部において隔壁１３５より上側の空間は上側収容空間とされ、その上側収容空間には、プッシュボタン１４０が同軸状となるよう収容配置されている。図１０〜図１１に示すように、プッシュボタン１４０は、下端を円形の開口とした有底短円筒状をなす押圧部１４１を備えている。押圧部１４１の上端面には、押圧時の使用者の指の滑り止め等の目的で、ローレット加工等の滑り止め加工を施すことが好ましい。また、押圧部１４１の円盤状の底壁の中心部には、小径の円筒状をなす軸固着部１４２が、押圧部１４１と同軸状となるよう下方に突出して一体形成されている。これにより、プッシュボタン１４０の押圧部１４１の周壁（側壁）と軸固着部１４２との間には、円環状の収容空間が形成されている。プッシュボタン１４０の収容空間には、押圧コイルばねからなる付勢部材１４３が収容配置されている。プッシュボタン１４０の押圧部１４１の外径は、脚保持部１３０の基部１３１の内径よりも若干小さい直径とされ、また、押圧部１４１の高さは、基部１３１の隔壁１３５より上側の部分（プッシュボタン１４０の収容空間）の高さより所定寸法だけ小さい高さに設定されている。
【００２４】
［案内部１５０］
図１２に示すように、基部１３１の内部において隔壁１３５より下側の空間は下側収容空間とされ、その下側収容空間には、案内部１５０及び前後一対の係止片１６０が一体形成により配設されると共に、解除部材１７０が同軸状となるように収容して配設されている。まず、案内部１５０について説明すると、前記下側収容空間における基部１３１の内周面には、前記一対の支持突部１３２に対応する角度範囲に、それぞれ、平板状の支持壁１５４が、基部１３１の直径方向に対向配置されて互いに平行に延びている。支持壁１５４は、基部１３１の下端から隔壁１３５まで、下側収容空間の全長を延びている。また、支持壁１５４は、支持突部１３２に対応する角度範囲の円弧に対する弦を構成するよう配設されている。そして、支持壁１５４の内側面には、支持突部１３２と対応する角度範囲（正確には支持突部１３２の幅方向中央部に対応する所定幅領域の両側）に、それぞれ、一対の案内突起１５１が一体形成されている。即ち、一対の案内突起１５１は、基部１３１の内周面上において、支持壁１５４を介して、１８０度反対側の位置（直径方向に対向する左右位置）に配置されている。案内突起１５１は、基部１３１の軸方向に延びる所定突出高さの断面矩形状の直線リブ状をなしている。一対の案内突起１５１は、幅方向に所定間隔をおいた状態で、基部１３１の軸方向に延びるよう並設して配置されている。これにより、一対の案内突起１５１の内側面（対向側面）と支持壁１５４の内側面との間に、基部１３１の下側収容空間の軸心に沿って直線状に延びる案内溝が形成されている。案内突起１５１は、支持壁１５４において、隔壁１３５から下方に所定距離（下側収容空間の軸長の約１／５程度の距離）だけ延設されている。また、基部１３１の内周面上に設けた支持壁１５４の内側面において、一対の案内突起１５１間における前記案内溝の幅方向中央には、摺接突起１５２が一体形成されている。摺接突起１５２は、案内突起１５１と平行となるよう、基部１３１の軸方向に延びる所定突出高さの断面矩形状の直線リブ状をなしている。即ち、摺接突起１５２は、前記案内溝の軸方向（幅方向中央線）に沿って延びるよう配置されている。摺接突起１５２の突出高さは、案内突起１５１の突出高さより小さく設定され、好ましくは、１／３〜１／２程度の高さに設定されている。また、摺接突起１５２は、案内突起１５１と同一長さ（同一軸長）だけ、隔壁１３５から下方に延設されている。
【００２５】
基部１３１の内周面上の支持壁１５４の内側面には、一対の案内突起１５１に連続して、それぞれ、延長突起１５３が一体形成されている。一対の延長突起１５３は、それぞれ、基部１３１の軸方向に延びる所定突出高さの断面矩形状の直線リブ状をなしている。延長突起１５３の突出高さは、案内突起１５１の突出高さより小さく設定され、好ましくは、１／３〜１／２程度の高さに設定されている。また、延長突起１５３は、案内突起１５１の先端（下端）から基部１３１の下端まで下方に延設されている。延長突起１５３は、案内突起１５１と同一直線状となるよう延びている。即ち、一対の延長突起１５３も、一対の案内突起１５１と同様、基部１３１の内周面上において支持壁１５４を介して１８０度反対側の位置（直径方向に対向する左右位置）に配置されている。また、延長突起１５３は、幅方向に所定間隔をおいた状態で、基部１３１の軸方向に延びるよう並設して配置されている。これにより、一対の延長突起１５３の内側面及び支持壁１５４の内側面の間に、基部１３１の下側収容空間の軸心に沿って直線状に延びる案内溝が形成されている。ここで、一対の案内突起１５１（及びその案内溝）は、解除部材１７０の上下動を案内する解除部材用案内手段として機能し、一対の延長突起１５３（及びその案内溝）は、後述する脚５０の上端の脚挿着部２１０を基部１３１の下側収容空間に挿入したり取り外したりする際の動作（上下動）を案内する脚挿着部案内手段として機能する。また、一対の延長突起１５３は、脚挿着部２１０を基部１３１の下側収容空間に挿入して固定した際に脚挿着部２１０のガタつきや位置ずれを防止する規制手段としても機能する。
【００２６】
［係止片１６０］
次に、一対の係止片１６０は、下側収容空間における基部１３１の内周面において、前記切欠部１３３と同一角度位置（正確には切欠部１３３の幅方向中央位置）に、それぞれ一体的に配設されている。即ち、一対の係止片１６０は、基部１３１の内周面において１８０度反対側の位置（直径方向に対向する前後位置）に配置されている。具体的には、係止片１６０は、基部１３１の内周面の下端から軸方向に沿って上方に直線的に延びる弾性部１６１を有している。即ち、弾性部１６１は、その下端が基部１３１の内周面の下端に一体形成により固着され、基部１３１の軸方向に沿って、基部１３１の内周面との間にほぼ一定の間隙を置いた状態で（内周面から内方に若干浮き上がった状態で）上方に向かって延設されている。また、弾性部１６１は、所定の弾性を有し、外力により、原位置（非弾性変形状態）から基部１３１の内周面に向かって半径方向に弾性変形自在であると共に、外力を解除すると、自身の弾性復帰力により原位置へと復帰するようになっている。そして、弾性部１６１は、その上端が前記案内突起１５１の下端よりも所定距離だけ上方の位置に来るよう、その長さ（軸長）が設定されている。また、弾性部１６１の表面側（基部１３１の中心に面する側）の先端部（上端部）は、湾曲状の傾斜面１６２となっている。更に、弾性部１６１の表面側（内側面側）の長さ方向中央部（上下中央部）の所定高さ位置には、係止突部１６３が所定突出高さで突出するよう一体形成されている。係止突部１６３は、平面視で横長長方形状のブロック状をなし、その上端面が基部１３１内の所定高さ位置にくるよう、弾性部１６１に配置されている。詳細には、係止突部１６３は、上端面が平坦面となると共に、少なくとも下端面が下方に向かって外方（弾性部１６１に向かう方向）に傾斜する傾斜面となる断面形状を有している。
【００２７】
［解除部材１７０］
次に、解除部材１７０は、連結軸１７１及び座部１７２を備えている。連結軸１７１は、基部１３１の隔壁１３５の挿通孔１３６に挿通自在な（略同一径の）円柱状または棒状をなしている。連結軸１７１は、隔壁１３５の挿通孔１３６に挿通されると共に、上端側の所定長さ部分（約１／２程度の軸長部分）が、基部１３１の上側収容空間に収容したプッシュボタン１４０の軸固着部１４２内に挿入して固着されている。このとき、プッシュボタン１４０の収容空間に収容した付勢部材１４３が連結軸１７１の露出部分の外側を包囲する。また、座部１７２は、連結軸１７１より大径の短円柱状または円環状をなし、連結軸１７１の下端に同軸状に一体形成されている。連結軸１７１を隔壁１３５の挿通孔１３６に挿通してプッシュボタン１４０に固着すると、付勢部材１４３の押圧付勢力により押圧部１４１が隔壁１３５から上方に離間する方向に付勢され、軸固着部１４２に固着した連結軸１７１を介して、座部１７２の上端面が隔壁１３５の下面の挿通孔１３６の周縁部に圧接するようになっている。解除部材１７０において、座部１７２の下端には、解除部１７３，１７４，１７６が一体形成されている。解除部１７３，１７４，１７６は、被案内部１７３、係合部１７４及び押圧突起１７６から構成される。
【００２８】
［被案内部１７３］
具体的には、被案内部１７３は、断面矩形状の直方体棒状をなし、その中央部が前記座部１７２の下端に固着された状態で一体形成されている。被案内部１７３の長さは、基部１３１の下側収容空間において直径方向の対向位置に配置される一対の案内部１５０の摺接突起１５２の対向面間の距離と同一とされている。また、被案内部１７３の幅（平面視における幅方向の寸法）は、各案内部１５０の一対の案内突起１５１間の幅（即ち、案内溝の幅）と同一とされている。これにより、連結軸１７１を隔壁１３５の挿通孔１３６に挿通してプッシュボタン１４０に固着すると、被案内部１７３の長さ方向両端部を、基部１３１の下側収容空間内で直径方向に対向配置された一対の案内部１５０の案内溝（各案内部１５０の一対の案内突起１５１間に形成される溝）に摺動自在に収容できるようになる。そして、被案内部１７３の長さ方向両端部を案内部１５０の案内溝に収容して装着すると、被案内部１７３の長さ方向両端部（案内部１５０の一対の案内突起１５１間に収容される部分）の幅方向両側面が、それぞれ、一対の案内突起１５１の内側面（対向側面）に当接すると共に、被案内部１７３の両端の端面が、それぞれ、一対の案内部１５０の摺接突起１５２に当接し、解除部材１７０の軸方向の往復動に伴い、被案内部１７３の長さ方向両端部の幅方向両側面が、それぞれ、一対の案内突起１５１に案内される（即ち、案内突起１５１の内側面状を摺動することにより案内溝を上下方向に案内される）と共に、被案内部１７３の両端の端面が、それぞれ、一対の案内部１５０の摺接突起１５２の対向面（基部１３１の中心乃至軸心に向かう内側面）上を摺動するようになっている。このとき、付勢部材１４３の押圧付勢力により連結軸１７１を介して座部１７２が隔壁１３５の下面に圧接するため、被案内部１７３は最上位置（座部１７２の厚み分だけ隔壁１３５の下面から下方に配置された状態）に位置する。即ち、このとき、被案内部１７３は、案内部１５０の案内溝内の最上位置に配置される。なお、被案内部１７３は、少なくとも、各案内部１５０の一対の案内突起１５１間（案内溝）に収容して装着される先端部が、一対の案内突起１５１間の幅と略同一の幅を有して案内溝に沿って案内自在となるものであれば、上記以外の任意の構成とすることができる。例えば、被案内部１７３は、全体として同一断面形状の棒状とする以外にも、先端部のみを案内部１５０の案内溝に装着して案内移動（摺動）自在な形状とし、先端部以外の部分を別の形状とすることもできる。
【００２９】
［係合部１７４］
また、係合部１７４は、断面矩形状の直方体棒状部分である支持部１７４ａと、支持部１７４ａの両端を下方に約９０度の角度で折り曲げて形成した係合突部１７４ｂとを備え、全体として、下方を解放する略チャンネル形状の棒状をなしている。係合部１７４は、支持部１７４ａの中央部を被案内部１７３の中央部に対して交差した状態で連結し、被案内部１７３に対して直交して延びるよう一体形成されている。即ち、被案内部１７３及び係合部１７４は、全体として、平面視で十字形状をなしている。また、係合部１７１の両端の係合突部１７４の下面側の角部には、それぞれ、所定曲率の湾曲面状の摺動面１７５が形成されている。これにより、連結軸１７１を隔壁１３５の挿通孔１３６に挿通してプッシュボタン１４０に固着すると共に、被案内部１７３の長さ方向両端部を案内部１５０の案内溝に収容して案内溝内の最上位置に配置すると、係合部１７４の摺動面１７５が、基部１３１の下側収容空間内で直径方向に１８０度の角度間隔を置いた位置に配置されると共に、前記一対の案内部１５０に対して９０度の角度間隔をおいて配置された一対の係止片１６０の傾斜面１６２に対して当接状態となるようになっている。即ち、付勢部材１４３の押圧付勢力により連結軸１７１を介して座部１７２を隔壁１３５の下面に圧接させた状態（解除部の原位置）では、係合部１７４は最上位置（座部１７２の厚み分だけ隔壁１３５の下面から下方に配置された状態）に位置する。即ち、係合部１７４の最上位置では、係合部１７４の摺動面１７５が係止片１６０の傾斜面１６２に対して当接状態となるよう、係合部１７４の係合突部１７４ｂの高さ（正確には、係合突部１７４ｂの上端面から摺動面１７５までの寸法）が設定されている。ここで、係合部１７４の長さ（両側の係合突部１７４ｂの外側面間の寸法）は、基部１３１内の一対の係止片１６０の内側面（対向側面）間の寸法より所定寸法だけ大きい寸法とされている。具体的には、係合部１７４の長さは、前記解除部の原位置で、係合突部１７４ｂの最外端が係止片１６０の内側面よりも基部１３１の半径方向外側に位置し、摺動面１７５が係止片１６０の傾斜面１６２に当接するような長さに設定されている。好ましくは、係合部１７４の長さは、一対の係止片１６０の内側面間の寸法より、係止片１６０の厚み寸法の約１／１〜１／２の寸法だけ大きい長さとされている。なお、前記解除部の原位置で、一対の係止片１６０に若干の間隙を置いて近接状態となるよう、係合部１７４の長さや係合突部１７４ｂの高さを設定することもできる。
【００３０】
［押圧突起１７６］
更に、係合部１７４の両端部の係合突部１７４ｂの下端面には、それぞれ、押圧突起１７６が下方に突出するよう一体形成されている。押圧突起１７６は、係合突部１７４ｂの下端面の内縁側から下方に突出する小肉厚の突起状をなしている。
【００３１】
［第２の保持部材］
基台２０の第２の保持孔としての柱用孔２６には、第２の保持部材１８０が収容保持して固定されている。第２の保持部材１８０は、第１の保持部材１００の脚保持部１３０と同一構成の脚保持部１３０の両側に、前記固定部１２５，１２６を一体形成したものである。即ち、第２の保持部材１８０は、第１の保持部材１００から柱保持部１１０及び連結部１２０を省略して脚保持部１３０のみ残した構成となっている。よって、第２の保持部材１８０の脚保持部１３０は、前記脚用孔２６の形状と同一の外形を有し、脚用孔２６の直径と同一の外径の円筒状をなしている。また、固定部１２５，１２６は、脚保持部１３０の両側で前記が描く円弧の延長線上に沿って延びるよう形成されている。なお、第２の保持部材１８０の脚保持部１３０の内部構造は、第１の保持部材１００の脚保持部１３０の内部構造と同一であるため、説明は省略する。
【００３２】
［保持部材の固定］
第１の保持部材１００は、柱保持部１１０及び脚保持部１３０を基台２０の下面側から柱用孔２５及び脚用孔２６にそれぞれ挿入して収容し、固定部１２５，１２６を基台２０の収容凹部２８，２９にそれぞれ載置して、固定部１２５，１２６の挿通孔にビス等の締結部材１２７をそれぞれ挿通して基台２０にねじ込み等することにより、固定部１２５，１２６及び締結部材１２７を介して、基台２０の定位置に固定される。同様に、第２の保持部材１８０は、脚保持部１３０を基台２０の下面側から脚用孔２６に挿入して収容し、固定部１２５，１２６を基台２０の収容凹部２８，２９にそれぞれ載置して、固定部１２５，１２６の挿通孔に締結部材１２７を挿通して基台２０にねじ込み等することにより、固定部１２５，１２６及び締結部材１２７を介して、基台２０の定位置に固定される。このとき、第１の保持部材１００及び第２の保持部材１８０の下面は、共に、基台２０の下面と面一となる。また、第１の保持部材１００の柱保持部１１０の上端面も、基台２０の上面と面一となる。一方、第１の保持部材１００及び第２の保持部材１８０の両方とも、脚保持部１３０は、基台２０の輪止め部２２の上面から上方に所定距離だけ突出する。また、このとき、全体として平面円弧状をなす第１の保持部材１００と、同じく全体として平面円弧網をなす第２の保持部材１８０とは、基台２０における前記仮想円形上に所定間隔で配置され、基台２０の上面側では、各脚保持部１３０の一対の切欠部１３３は、基台２０の半径方向に並設して配置されている。また、基台２０の下面側では、各脚保持部１３０の案内部１５０は、基台２０における前記仮想円形上に配置され、一方、各脚保持部１３０の係止片１６０は、基台２０における前記仮想円形と直交して延びる直径方向において互い対向するよう配置されている。
【００３３】
［脚挿着部２１０］
図１３〜図１５に示すように、脚５０の上端の平坦面５１において最も内側の位置には、脚挿着部２１０が固着されている。脚挿着部２１０は、前記脚保持部１３０の下側収容空間に全体を挿入して収容自在な略四角柱状をなしている。詳細には、脚挿着部２１０は、脚保持部１３０の下側収容空間において、一対の案内部１５０と一対の係止片１６０とにより形成される断面略矩形状の直方体状の空間に対応する略四角柱状（略直方体柱状）をなしている。
【００３４】
［案内溝２１１］
具体的には、脚挿着部２１０の左右の側面には、それぞれ、一対の案内溝２１１が、幅方向に間隔を置いた状態で、脚挿着部２１０の長さ方向に延びるよう並設して形成されている。一対の案内溝２１１は、脚保持部１３０の一対の延長突起１５３に対応する位置に形成されている。図１５中の脚挿着部２１０の拡大図（一点鎖線の円形で囲む部分）に示すように、一対の案内溝２１１は、それぞれ、平面視で脚挿着部２１０の長さ方向に直線状に延びる細長い逆台形状をなしている。即ち、各案内溝２１１は、上端側の幅が下端側の幅よりも大きくなっており、上端の幅（最大幅）は下端の幅（最少幅）より所定割合だけ大きい幅（例えば、１５〜２５％だけ大きい幅）となっている。また、本実施の形態では、図示の簡略化のため、図１４及び図１５の拡大図以外の図中では、脚挿着部２１０は先細ではない単純な四角柱状として描画しているが、正確には、脚挿着部２１０は、先端（上端）に向かって若干先細となるような（例えば、約５〜１０％だけ幅が小さくなるような）テーパー状の四角柱状をなしている。更に、脚挿着部２１０の左右幅（左右側面の幅寸法）及び前後幅（前後側面の幅寸法）は、同一とされ、その左右両側面及び前後両側面のいずれも、同様に上端に向かって若干先細となるテーパー状の長方形状となっている。そして、一対の案内溝２１１は、それぞれの軸心（幅方向の中心線）が脚挿着部２１０の軸心（幅方向の中心線）と平行となるように延設され、結果として、脚挿着部２１０の高さ方向に延びている。なお、一対の案内溝２１１間に形成される脚挿着部２１０の隆起部２１２は、脚挿着部２１０の左右側面の基準面（案内溝２１１形成前の面と面一の面）を構成するが、一対の案内溝２１１の形状に対応して平面視で台形状となっている。
【００３５】
［案内溝２１１と延長突起１５３の関係］
一対の案内溝２１１は、脚挿着部２１０の下端から上端まで延設されるため、その高さは脚挿着部２１０の高さ（上下両端間の高さ寸法）と同一である。また、脚挿着部２１０の高さ（及び案内溝２１１の高さ）は、脚保持部１３０の一対の延長突起１５３の高さより所定寸法だけ小さい高さとされている。即ち、脚挿着部２１０を脚保持部１３０の下側収容空間に完全に収容した状態で、案内溝２１１内に延長突起１５３が完全に収容される一方で、脚挿着部２１０の上端部（及び案内溝２１３の上端部）と延長突起１５３の対応する部分との間には、前記所定寸法の間隙が残されるよう、それらの配置関係が設定されている。一方、一対の延長突起１５３は、互いに平行に配置され、また、各延長突起１５３の幅寸法は、上端から下端まで同一となっている。これにより、一対の延長突起１５３の間の間隔（配置間隔）も、上端から下端まで同一となっているが、この一対の延長突起１５３の配置間隔は、一対の案内溝２１１の配置間隔のうち、最小となる下端の配置間隔（即ち、隆起部２１２の下端の幅寸法）と同一または若干大きい寸法（例えば、２０〜３０％だけ大きい寸法）とされている。また、各延長突起１５３の幅は、長さ方向に同一であるが、各案内溝２１１の幅は、上記のように、上端が最大幅となり、下端が最少幅となるよう上端から下端に向かって漸減している。なお、延長突起１５３の幅は、案内溝２１１の下端の最少幅と同一または若干小さい寸法（例えば、２０〜３０％だけ小さい寸法）とされている。これにより、脚挿着部２１０を脚保持部１３０の下側収容空間に挿入するときには、まず、脚挿着部２１０の案内溝２１１の上端が、延長突起１５３の下端に嵌合して挿入開始されることになるが、このとき、延長突起１５３の下端部は案内溝２１１の上端部内で幅方向にある程度の余裕を持って嵌合する。そして、脚挿着部２１０を脚保持部１３０の下側収容空間の奥側（上端側）に順次挿入していくと、延長突起１５３と案内溝２１１との間の幅方向の余裕が漸減し、最終的に、脚挿着部２１０を脚保持部１３０の下側収容空間に完全に収容した状態（図１５中の脚挿着部２１０の拡大図に示す状態）では、延長突起１５３と案内溝２１１との間の幅方向の余裕が最少となって、脚挿着部２１０の下端部（基端部）では、案内溝２１１内に延長突起１５３が略密接状態または密嵌状態で幅方向への移動を阻止された状態となる。
【００３６】
即ち、一対の延長突起１５３間の配置間隔を一対の案内溝２１１の下端の配置間隔と同一とした場合は、少なくとも一対の延長突起１５３の内側縁部が案内溝２１１の対向側面（即ち、隆起部２１２の対向側面）に完全な密接状態となって、脚保持部１３０に対する脚挿着部２１０の保持力を高める。なお、一対の延長突起１５３間の配置間隔を一対の案内溝２１１の下端の配置間隔より若干小さくすることも可能であるが、この場合は、少なくとも一対の延長突起１５３の内側縁部が案内溝２１１の対向側面に完全な密接状態となると共に、配置間隔が小さい分だけ圧接状態となって、脚保持部１３０に対する脚挿着部２１０の保持力を更に高める。また、延長突起１５３の幅を案内溝２１１の下端の最少幅と同一とした場合も、延長突起１５３の下端両側面が案内溝２１１の下端両側面に密接状態となって、脚保持部１３０に対する脚挿着部２１０の保持力を高める。なお、延長突起１５３の幅を案内溝２１１の下端の最少幅より若干小さくすることも可能であるが、この場合も、延長突起１５３の下端両側面が案内溝２１１の下端両側面に圧接状態となって、脚保持部１３０に対する脚挿着部２１０の保持力を更に高める。また、延長突起１５３の配置間隔及び幅を案内溝１５３の下端の配置間隔及び幅と同一寸法または若干小さい寸法とすることにより、上記の効果の相乗的な効果を発揮することができる。なお、一対の延長突起１５３間の配置間隔を一対の案内溝２１１の下端の配置間隔より若干大きくした場合や、延長突起１５３の幅を案内溝２１１の下端の最少幅より若干大きくした場合も、脚挿着部２１０の下端部で案内溝２１１に対して延長突起１５３が略密接状態となり、脚保持部１３０に対する脚挿着部２１０の保持力を高める点で同等の効果を発揮する。
【００３７】
［係止凹部２１４］
脚挿着部２１０の前後の側面には、それぞれ、一対の係止凹部２１４が、脚挿着部２１０の前後方向に対向するよう形成されている。一対の係止凹部２１４は、脚保持部１３０の一対の係止片１６０の係止突部１６３に対応する位置に形成されている。図１４に示すように、係止凹部２１４は、断面横長長方形状の同一断面形状であり、脚挿着部２１０の上端から所定距離だけ下方の位置で、かつ、脚挿着部２１０の前後の側面の幅方向中央に配置されている。係止凹部２１４の幅（図１４中の左右寸法）は、係止突部１６３の幅（図１４中の左右寸法）と同一寸法とされている。一方、係止凹部２１４の高さは、係止突部１６３の高さより大きな寸法（例えば、１．２５〜１．７５倍程度の寸法、通常は、１．５倍程度の寸法）とされている。また、係止凹部２１４の深さは、係止突部１６３の突出高さとほぼ同一に設定されている。更に、脚挿着部２１０を脚保持部１３０の下側収容空間に完全に収容した状態では、係止突部１６３が係止凹部２１４の上端側に完全に収容配置されて、係止突部１６３の上端面が係止凹部２１４の上端壁面に密接し、かつ、係止突部１６３の左右両側面が係止凹部２１４の左右両側壁面に密接する状態となるよう、それらの配置関係が設定されている。脚挿着部２１０の前後の側面には、それぞれ、一対の係止凹部２１４より上側部分に、一対の案内面２１３が形成されている。案内面２１３は、脚挿着部２１０の幅方向中央部に、係止凹部２１４の幅と同一幅となるよう、係止凹部２１４の上端から脚挿着部２１０の上端まで傾斜して延びる平面横長長方形状をなしている。即ち、一対の案内面２１３は、係止凹部２１４の上端の基準面（脚挿着部２１０の前後側面と面一の面）から脚挿着部２１０の内部側へと傾斜して上方に延び、一対の案内面２１３部分で脚挿着部２１０が若干のテーパー状をなす断面となっている。
【００３８】
［係止凹部２１４と係止片１６０の関係］
脚挿着部２１０を脚保持部１３０の下側収容空間に完全に収容した状態では、係止片１６１が脚挿着部２１０の前後の側面にそれぞれ対向配置される共に、係止突部１６３が係止凹部２１４の上端側に完全に収容配置して密嵌されるが、かかる係止片１６１の長さ（高さ寸法）は、脚挿着部２１０の長さ（高さ寸法）より所定寸法だけ大きな寸法とされている。具体的には、脚保持部１３０の下側収容空間において、係止片１６１は、基部１３１の下端から、前記延長突起１５３の上端（即ち、案内突起１５１の下端）よりも所定寸法だけ上方の位置まで延びている。詳細には、図１１及び図１５に示すように、解除部材１７０の原位置では、係止片１６１の傾斜面１６２の下端位置が、前記解除部材１７０の押圧突起１７６の突出高さ若しくはこれとほぼ同等の高さだけ案内突起１５１の下端より上方位置にくるよう、係止片１６１の長さが設定されている。これにより、解除部材１７０の原位置では、係止片１６０の上端部の傾斜面１６２が、係合部１７４の傾斜面１７６の全体と重なって、少なくともその一部（上下方向中央部）が当接するようになっている。また、係止片１６０の非弾性変形状態（原位置）で、一対の係止片１６０の弾性部１６１の内側面間の間隔（配置間隔）は、脚挿着部２１０の前後両側面間の寸法とほぼ同一の間隔とされている。
【００３９】
［脚挿着部２１０と脚保持部１３０の相対寸法］
なお、脚挿着部２１０の左右両側面間の幅（左右幅）は、最大寸法となる下端では、基部１３１の案内部１５０の支持壁１５４の内側面（対向側面）間の間隔とほぼ同一（正確には、若干小さい幅）となっている。したがって、先細となるテーパー状の四角柱状をなす脚挿着部２１０の左右幅は、最小寸法となる上端では、基部１３１の案内部１５０の支持壁１５４の内側面間の間隔より、テーパー分だけ小さな幅となっている。なお、脚挿着部２１０の案内溝２１４の深さは、延長突起１５１の支持壁１５４からの突出高さとほぼ同一（正確には、若干大きい深さ）となっている。一方、脚挿着部２１０の前後両側面間の幅（前後幅）は、最大寸法となる下端では、基部１３１の係止片１６０の弾性部１６１内側面（対向側面）間の間隔とほぼ同一（正確には、若干小さい幅）となっている。したがって、先細となるテーパー状の四角柱状をなす脚挿着部２１０の前後幅は、最小寸法となる上端では、基部１３１の係止片１６０の弾性部１６１内側面間の間隔よりテーパー分だけ小さい幅となっている。
【００４０】
ここで、図示の簡略化のため、各図中では、係止片１６０の弾性部１６１は直線的に延びるよう描画しているが、正確には、係止片１６０の弾性部１６１は、全体として、中央部が若干内方に（基部１３１の中心に向かって）湾曲した湾曲板状をなしている。即ち、弾性部１６１の内側面は、基端で最も外方位置（基部１３１の内周面寄りの位置）となり、そこから中央部に向かって若干（厚みの１０〜２０％程度の寸法）内方に湾曲し、中央部で最も内方位置（基部１３１の中心寄りの位置）となる。したがって、一対の係止片１６０の弾性部１６１の内側面（対向側面）間の間隔（配置間隔）は、高さ方向の下端で最大となり、高さ方向の中央部（係止突部１６３部分）で最少となって、高さ方向の上端で再び最大となる。これにより、脚挿着部２１０を脚保持部１３０の下側収容空間に完全に挿入して収容した装着状態では、脚挿着部２１０の前後側面のうち、係止凹部２１４よりも下側の部分で係止片１６０に対向する面部分が、それぞれ、係止片１６０の弾性部１６１の内側面のうち係止突部１６３より下側の面部分に略密接状態（密接状態または若干の隙間を置いた近接状態）となる。即ち、後述の作用効果の説明で述べるとおり、脚挿着部２１０の装着状態では、一対の係止片１６０は、脚挿着部２１０を両側から弾性的に圧接して保持するのではなく、係止突部１６３による係止凹部２１４の係止により、脚挿着部２１０を脚保持部１３０内の定位置に固定的に保持し、係止片１６１を外方に（互いに離間させるように）弾性変形させる外力が働かない限り、その状態を維持するようになっている。一方、弾性部１６１の先端部は、中央部に比べると基部１３１の半径方向において外方位置にあるが、弾性部１６１のうち、脚挿着部２１０の前後側面と当接するのは、係止突部１６３の位置までであるため、弾性部１６１の先端部は、基部１３１の半径方向において中央部と同一位置としたり、極端な場合は内方位置としたりすることもできる。なお、弾性部１６１は、先端（上端）に向かって徐々に肉薄となる断面テーパー状とし、先端側の弾性変形率が基端側よりも大きくなるよう構成することが好ましい。
【００４１】
［保持部材の成形材料］
第１の保持部材１００及び第２の保持部材１８０は、それぞれ、全体を合成樹脂材料等の所定の材料から射出成形等の成型方法により一体成形することができるが、脚保持部１３０の全体、または、脚保持部１３０の少なくとも基部１３１は、提灯の脚５０の素材である黒檀、紫檀等の硬質木材と同等の高い硬度を有する合成樹脂材料により形成することが好ましい。例えば、脚保持部１３０または少なくとも基部１３１は、スチレン・ブタジエン・アクリロニトリル共重合体（ＡＢＳ）、ポリメチルメタクリレート（ＰＭＭＡ）、ハイインパクトポリスチレン（ＨＩＰＳ）、ポリプロピレン（ＰＰ）等の硬質合成樹脂材料により形成することが好ましく、このうち、脚５０を木質材料として最も硬度の高い材料の一つである黒檀により形成した場合、硬質合成樹脂材料としてはＡＢＳ樹脂を使用することが好ましい。また、この場合も、硬質合成樹脂材料の硬度は、充填剤や添加剤により調節可能であるため、脚５０の硬質木材と同等の硬度となるよう、硬質合成樹脂材料の硬度を調節することが好ましい。こうすると、脚５０を脚保持部１３０に挿着するときに、脚５０の上端面における挿着部１８０の幅方向両側の端面が、基部１３１の下端に衝突するときに、心地よい衝突音を発生する。一方、係止片１６０は、厚さ方向に弾性変形する必要があるため、その寸法（長さ、幅及び厚み）と合成樹脂材料の材質とに応じた固有の弾性力を付与されているが、脚保持部１３０の全体を硬質合成樹脂材料により一体形成した場合、係止片１６０も同様の高い硬度を付与されることにより、その強度が高まる。したがって、脚挿着部２１０を脚保持部１３０の下側収容空間に完全に収容した状態で、係止片１６０の係止突部１６３が脚挿着部２１０の係止凹部２１４に嵌合して係止したときに、係止片１６０全体が脚挿着部２１０に対して高い保持力を発揮することになる。
【００４２】
［脚５０の装着時の動作］
上記のように構成した提灯の脚の取付構造を使用して脚５０を基台２０に取り付ける場合の取付手順、作用及び効果について説明する。
脚５０を提灯１０の基台２０に取り付けるには、まず、図１６（ａ）に示すように、各脚５０の上端の脚挿着部２１０を、対応する脚保持部１３０の下側収容空間の下端開口から内部上方に向かって挿入する。このとき、脚挿着部２１０の左右側面が一対の案内部１５０と対向するよう、かつ、前後側面が一対の係止片１６０と対向するように挿入する。すると、脚挿着部２１０の左右側面の一対の案内溝２１４が、一対の案内部１５０の延長突起１５３に対応して位置決めされると共に、対応する延長突起１５３にそれぞれ嵌合する。このとき、脚挿着部２１０は、上端に向かって若干の先細となる四角柱状をなすため、脚挿着部２１０の上端部を基部１３１の下端開口から内部に円滑に挿入することができる。そして、脚挿着部２１０は、一対の案内溝２１４が延長突起１５３に摺接して案内されて、脚保持部１３０の内部に直線的に進入していく。このとき、上記のとおり、挿入開示時点では、脚挿着部２１０の案内溝２１４の形状・寸法や配置態様、及び、脚保持部１３０の園長突起の形状・寸法や配置態様の設定により、脚保持部１３０の延長突起１５３の下端部と脚挿着部２０１の案内溝２１４の上端部との間で、幅方向の所定の余裕（幅方向における相互の間隙）が確保されているため、脚挿着部２１０を延長突起１５３により案内しながら円滑に挿入していくことができる。また、脚挿着部２１０の前後側面の幅方向中央部が、一対の係止片１６０の弾性部１６１の内側面に摺接して移動する。そして、脚挿着部２１０の前後両側面は、上記のように、一対の弾性部１６１の内側面に対して弾性的な圧接状態とならないよう（弾性部１６１を弾性変形させることがないよう）、弾性部１６１の内側面との位置関係が設定されているため、脚挿着部２１０は、その上端の案内面２１３が係止片１６０の係止突部１６３の下側面（湾曲状の傾斜面）に当接するまで、脚保持部１３０の下側収容空間を上方に移動する。
【００４３】
そして、脚挿着部２１０の案内面２１３が係止突部１６３に当接し、更に、上方に移動すると、図１６（ｂ）に示すように、前後一対の案内面２１３が、それぞれ、一対の係止片１６１の係止突部１６３の下側の傾斜面に乗り上げる形となり、弾性部１６１を外方に押圧して弾性変形させる。そして、図１７（ａ）に示すように、脚挿着部２１０の案内面２１３（正確には、案内面２１３と係止凹部２１４上端との間の境界線）が係止突部１６３を完全に乗り越えた瞬間（乗り越えると同時に）、係止突部１６３の上端が係止凹部２１４の上端と一致し、図１７（ｂ）に示すように、弾性部１６１が弾性復帰力により原位置に瞬時に復帰して、係止突部１６３が係止凹部２１４内に完全に嵌合する。これにより、係止突部１６３の上端の平坦面が係止凹部２１４の上端壁の平坦面を密接的に係止して、脚挿着部２１０が脚保持部１３０に対して固定的に保持され、脚挿着部２１０を介して、脚５０が基台２０の所定位置に所定姿勢で安定的に固定される。脚挿着部２１０の脚保持部１３０への装着状態では、上記のように、脚挿着部２１０の案内溝２１４の形状・寸法や配置態様、及び、脚保持部１３０の園長突起の形状・寸法や配置態様の設定により、脚保持部１３０の延長突起１５３の下端部と脚挿着部２０１の案内溝２１４の下端部との間で、幅方向の余裕（幅方向における相互の間隙）が消滅し、延長突起１５３の下端部と脚挿着部２０１の案内溝２１４の下端部とがほぼ密接状態（完全な密接状態または若干の隙間を有するものの実質的に幅方向への移動が行われない程度の近接状態）で嵌合状態となるため、脚挿着部２１０を脚保持部１３０内に非常に高い安定性を持って固定保持して、確実に抜止めすることができる。
【００４４】
［衝突音発生］
また、図１６（ｂ）から図１７（ａ）への脚挿着部２１０の移動段階では、脚５０の上端面５１における脚挿着部２１０の両側の面部分である衝突面５２が、脚保持部１３０の下端面を構成する基部１３１の下端面の対向部分（左右両側の面部分）に瞬間的に衝突する。即ち、当該位置までは、脚挿着部２１０の側面は、延長突起１５３や弾性部１６１も含めて、いかなる部材からも挿入を妨げる力（進行抑制力）を受けていないため、脚保持部１３０内を円滑に進行するが、傾斜面２１３が係止突部１６３に当接したときから、係止突部１６３による進行抑制力が脚挿着部２１０に働いて、脚挿着部２１０の進行がある程度妨げられ、案内面２１３と係止凹部２１４との間の境界線が係止突部１６３の上端を乗り越えた瞬間に、係止凸部１６３による進行抑制力が解除される。したがって、脚挿着部２１０の案内面２１３が弾性部１６１の下面に当接する位置（以下、「下側当接位置」という。）から、案内面２１３と係止凹部２１４との間の境界線が係止突部１６３の上端を乗り越える瞬間の位置（以下、「上側当接位置」）までの間の非常に短い距離及び非常に短かい時間の間で、脚５０の衝突面５２が脚保持部１３０の下端面に接近して衝突する。このとき、使用者（作業者）が脚５０に加える挿入方向の押圧力が、上記短距離及び短時間の間だけ、係止突部１６３による脚挿着部２１０への進行抑制力により妨げられ、当該短距離及び短時間の後に瞬時に解放される（図１６（ｂ）から図１７（ａ）の状態）。その結果、脚５０の衝突面５２が、前記短距離及び短時間で、瞬間的に脚保持部１３０の下面に接近して衝突するため、その衝突力が非常に大きくなる。また、脚５０は、一般の木材よりも硬度の高い黒檀や紫檀等の硬質木材により形成される一方、脚保持部１３０の少なくとも衝突面部分である基部１３１も、一般の合成樹脂材料よりも硬度の高いＡＢＳ樹脂のような硬質樹脂材料により形成されているため、基部１３１の下端面に対する衝突面５２の衝突音が、硬質材料特有の（拍子木を打ち合わせたときのような）心地よい打撃音となる。
【００４５】
［脚５０の取り外し時の動作］
次に、上記のように構成した提灯の脚の取付構造を使用して脚５０を基台２０から取り外す場合の取り外し手順、作用及び効果について説明する。
上記のようにして提灯１０の基台２０に装着した脚５０を基台２０から取り外すには、まず、図１８（ａ）から図１８（ｂ）に示すように、プッシュボタン１４０の押圧部１４１を指先等により上方から下方へと押し下げる。すると、付勢部材１４２の押圧付勢力に抗して、押圧部１４１が基部１３１の上側収容空間内を下方に移動し、軸固着部１４２及び連結軸１７１を介して、解除部材１７０を下方に移動することができる。即ち、脚挿着部２１０の装着状態では、座部１７２が隔壁１３５に当接し、係合部１７４の両端部の摺動面１７５が、係止片１６０の上端部の案内面１６２に当接している。また、被案内部１７３の両端部が、案内部１５０の案内突起１５１間の案内溝内に嵌合すると共に、被案内部１７３の両端面が案内突起１５１間の摺接突起１５２に当接している。そして、プッシュボタン１４０の押し下げ動作にしたがって、座部１７２が下方に移動して隔壁１３５から離間すると、被案内部１７３が案内突起１５１間の案内溝にそって下方に直線的に移動案内され、係合部１７４の摺動面１７５が係止片１６０の傾斜面１６２上を下方に摺動する。図１８（ｂ）に示すように、この係合部１７４の下方移動にしたがって、摺動面１７５が傾斜面１６２を介して弾性部１６１を外方に弾性変形させる。そして、弾性部１６１の弾性変形に伴い、係止突部１６３の上端が脚挿着部２１０の係止凹部２１４の上端から完全に離脱した瞬間（図１８（ｂ）の瞬間）に、係止突部１６３による係止凹部２１４の係止が解除され、脚挿着部２１０に対する保持力が解放される。これにより、基台２０の脚保持部１３０から脚５０を円滑に取り外すことができる。なお、基台２０を上側とし脚５０を下側とした状態では、脚５０が自重により脚保持部１３０から下方に抜け出る。
【００４６】
［押圧突起１７６による押し出し動作］
係止突部１６３が係止凹部２１４から抜け出る直前の状態、即ち、係合部１７４の摺動面１７５の当接位置が係止片１６０の傾斜面１６２の高さ方向中央位置（図１８（ａの位置）から高さ方向下端位置（図１８（ｂ）の位置）になるまでの非常に短い距離及び時間の間は、押圧突起１７６の下端と脚挿着部２１０の上端面との間は離間しているが、係合部１７４の摺動面１７５の当接位置が係止片１６０の傾斜面１６２の下端位置となると、押圧突起１７６の下端が脚挿着部２１０の上端面に当接する。そして、図１８（ｂ）から図１９（ａ）に示すように、係合部１７４の摺動面１７５が、係止片１６０の傾斜面１６２から弾性部１６１の内側面の上端部まで更に下方に摺動して、係止突部１６３による脚挿着部２１０の係止凹部２１４の係止が解除されるまでの非常に短い距離及び時間の間で、押圧突起１７６の下端が脚挿着部２１０の上端面に当接して、プッシュボタン１４０の押圧力を脚挿着部２１０に直接的に伝達して下方に押圧する。これにより、押圧突起１７６により、脚保持部１３０からの脚挿着部２１０の能動的な押し出し動作を行うことができ、基台２０から脚５０をより一層円滑に取り外すことができる。このように、脚挿着部２１０の取付側である基台２０の下面側とは反対側である基台２０の上面側に、脚挿着部２１０の取り外し時の操作手段であるプッシュボタン１４０を配設し、プッシュボタン１４０を脚挿着部２１０と同軸状に脚挿着部２１０に向かって移動する方向（接近する方向）に押し下げるだけで、解除部材１７０によって、脚挿着部２１０の係止片１６１との係止を解除できるようにしたため、脚５０の取り外しのために基台２０の下面側で面倒な操作を行う必要はなく、基台２０の上面側でプッシュボタン１４０を押し下げするだけで、脚５０を基台２０からワンタッチで取り外すことができる。なお、係止片１６０の係止突部１６３による脚挿着部２１０の係止凹部２１４の係止を解除した後は、プッシュボタン１４０の押圧を解除することにより、付勢部材１４３の押圧付勢力によって、押圧部１４１が原位置に復帰して、図１９（ｂ）の状態となる。
【００４７】
［押圧突起１７６による係止解除動作］
ここで、１８（ｂ）の状態において、一対の係止片１６０の外方への弾性変形によって弾性部１６１が脚挿着部２１０の側面から離間する距離（即ち、係止突部１６３が係止凹部２１４から抜け出る方向の移動距離）を、係止突部１６３が脚挿着部２１０の係止凹部２１４から完全に抜け出る距離とするのではなく、係止突部１６３の上端面の微小部分（内側縁部分）が係止凹部２１４の上端壁面の外側縁部分に係止状態となる距離に設定することも可能である。こうすると、係合部１７４の摺動面１７５が、係止片１６０の弾性部１６１を外方に弾性変形して係止突部１６３を外方に移動しただけでは、係止突部１６３は係止凹部２１４から完全には抜け出ることがなく、係止突部１６３の内側縁部分と係止凹部２１４の外側縁部分との係止を解除するような外力が、脚挿着部２１０の軸方向（押し出し方向）に加わらない限り、脚挿着部２１０が脚保持部１３０から抜け出ることはない。即ち、押圧突起１７６の下端が脚挿着部２１０の上端面に当接するまでは、脚挿着部２１０は依然として脚保持部に対して（係止突部１６３の内側縁部分と係止凹部２１４の外側縁部分との係止による微小な係止力によって）保持状態にある。そして、押圧突起１７６の下端が脚挿着部２１０の上端面に当接した状態（図１８（ｂ）の状態）から、更にプッシュボタン１４０を押し下げることにより、押圧突起１７６が、係止突部１６３の内側縁部分と係止凹部２１４の外側縁部分との係止を解除するような外力（押し下げ力）を脚挿着部２１０に印加し、係止突部１６３の内側縁部分と係止凹部２１４の外側縁部分との係止を瞬間的に解除するため、クリック感をもって脚挿着部２１０を脚保持部１３０から強制的または能動的に押し出すことができる。即ち、このとき、係合部１７４の摺動面１７５が係止片１６０の傾斜面１６２から弾性部１６１の内側面の上端部まで更に下方に摺動して、前記係止突部１６３による脚挿着部２１０の係止凹部２１４の係止が解除されるまでの非常に短い距離及び時間の間で、押圧突起１７６の下端が脚挿着部２１０の上端面に当接して、プッシュボタン１４０の押圧力を脚挿着部２１０に直接的に伝達して下方に押圧し、クリック感を持って脚５０を基台２０からワンタッチで取り外すことができる。また、プッシュボタン１４０の押圧部１４１に対する押圧力の押圧方向が、脚保持部材１３０の軸方向となり、かつ、脚挿着部２１０の軸方向及び押し出し方向と一致するため、プッシュボタン１４０の押し下げ力を脚挿着部２１０の押し出しのために効率的に利用することができる。
【００４８】
［切欠部１４３による円滑押し下げ］
脚保持部１３０の基部１３１は、指先を挿入できる大きさの一対の切欠部１３３が、基台２０の半径方向において手前側（基台２０の外周側）及び奥側（基台２０の中心側）に並ぶよう配置されるため、上記脚５０の取り外し動作において、指先を自然な状態で一対の切欠部１３３に沿って配置して、プッシュボタン１４０の押圧部１４１の上面に載置することができ、プッシュボタン１４０を押し下げ動作を非常に円滑に行うことができる。また、脚５０の基台２０への装着後は、一対の支持突部１３２がプッシュボタン１４０の両側を完全に覆うよう配設されているため、意図せずにプッシュボタン１４０の押圧部１４１に指先を触れた場合でも、指先を一対の切欠部１３３にそって意図的に配置しようとしない限り、支持突部１３２によって指先によるプッシュボタン１４０の押圧動作が阻止されるため、意図せずに脚５０が基台２０から外れるといった事態を防止することができる。
【００４９】
［脚５０の取付手順の別例］
上記のように構成した提灯の脚の取付構造を使用して脚５０を基台２０に取り付ける場合の取付手順の別例について説明する。
提灯の脚の取付構造では、合計で３個の脚保持部１３０が、基台２０の円周方向に沿って等角度間隔で配設されると共に、その基部１３１の上側部（プッシュボタン１４０を収容する上側収容空間）が基台２０の上面から上方に同一高さで突出している（即ち、基部１３１の支持突部１３１の上端位置が同一に設定されている）。したがって、図２０に示すように、基台２０を逆向きにして（上面を下側として）平坦面（床面や机の面）の上に載置すると、３個の脚保持部１３０の基部１３１の支持突部１３１の先端が平坦面に当接して、基部１３１を介して基台２０を平坦面状に安定的に保持する。その結果、基台２０を逆向きにした状態で、脚挿着部２１０を上方から基台２０の下面側の脚保持部１３０の下側収容空間に挿入することができ、脚挿着部２１０の挿入による取付作業をより一層簡単に行うことができる。
【００５０】
［支柱３０の取付構造］
図２１〜図２２に示すように、支柱３０の下端には、柱挿着部１９０が同軸状となるよう固着されている。柱挿着部１９０は、平板状（例えば、支柱３０の断面形状に対応する矩形平板状）の支持部１９１を支柱３０の下端に固着している。また、支持部１９１の一側端面（支柱３０の湾曲面に対応する端面）には、直線棒状の係合部１９２が直交して突出するよう一体形成されている。係合部１９２は、基端側が断面矩形状であり、先端側の下面が先端に向かって上方に傾斜する傾斜面を有している。更に、図示はしないが、支持部１９１の下面の中央には、円筒状または円柱状の挿入部が直交して下方に突出するよう一体形成されている。挿入部は、前記柱保持部１１０の連通孔である軸挿通部１１３の断面形状と同一の外形及び直径を有し、軸挿通部１１３に上方から挿入して保持されるようになっている。また、挿入部の下端部の外周面には、その周方向に１８０度の角度間隔を置いた位置に、それぞれ、放射方向に突出する係合凸部が一体形成されている。一対の係合凸部は、前記柱保持部１１０の連通孔である一対の凸部挿通部１１４の断面形状と同一の外形及び寸法を有し、凸部挿通部１１４に上方から挿入されるようになっている。そして、柱保持部１１０の凸部挿通部１１４に柱挿着部１９０の係合凸部を位置決めして挿入すると共に、軸挿通部１１３に柱挿着部１９０の挿着部を挿入し、支持部１９１の下面を基台２０の上面と面一の柱保持部１１０の上面に当接させるまで下方に移動した後（図２１の実線及び図２２（ａ）に示す状態）、支柱３０を介して柱挿着部１９０を基台２０の内方に（図中の左方に）９０度回転すると、柱挿着部１９０の一対の係止凸部の上面が、柱保持部１１０の中空壁１１２の下面に密接して押圧され、支柱３０を基台２０に保持して固定することができる（図２１の仮想線及び図２２（ｂ）に示す状態）。なお、支柱３０を基台２０から取り外すには、上記と逆の手順をとる。
【００５１】
［本発明と実施の形態との関係］
上記のように、実施の形態１の提灯の脚の取付構造は、立脚型の提灯１０の基台２０の下面側に脚５０の上端部を取り付けるためのものであって、脚５０の上端に配設された脚挿着部２１０と、基台２０における脚５０の取付位置に配設されて脚挿着部２１０を保持自在な脚保持部１３０とを備える。なお、脚挿着部２１０は、脚５０の上端から上方に突出する四角柱状をなし、脚保持部１３０は脚挿着部２１０を収容自在な空間形状である基部１３１の下側収容空間を有するが、本発明では、脚挿着部を脚保持部の下側収容空間に収容して保持できる限りにおいて、脚挿着部を四角柱状以外の柱状（四角形以外の角形柱状、円柱状等）としたり、筒状（円筒状、角筒状）としたり、上端部のみを筒状とすると共に下端部を柱状としたりすることもできる。この場合、脚保持部の下側収容空間は、脚装着部と対応する形状に形成する。
【００５２】
また、実施の形態１は、脚挿着部２１０の前後側面にそれぞれ設けられる係止凹部２１４により脚側係止部を構成すると共に、基部１３１の下側収容空間の対応する位置に配置される一対の係止片１６０により基部側係止部を構成しているが、脚挿着部を脚保持部の下側収容空間に完全に収容したときに、互いに係止状態となる脚側係止部及び基部側形成部とする限りにおいて、凸部により脚側係止部を構成すると共に基部側係止部には前記凸部を係止する凹部を設けたり、脚側係止部を脚挿着部の左右側面に設けると共に基部側係止部を基部内において対応する位置に設けたりする等、他の構成とすることもできる。
【００５３】
また、脚保持部１３０は、軸方向が基台２０の厚さ方向となるよう基台２０に埋設される円筒状をなすが、プッシュボタン等の押圧部を上側収容空間に収容し、かつ、脚挿着部を下側収容空間に収容自在な限りにおいて、角筒状等の他の筒形状とすることができる。また、脚保持部１３０の基部１３１は、内部空間として、基台２０の上面から上方に突出して配置される上側収容空間（プッシュボタン１４０を収容する部分）と、基台２０の下面側に配置されて下端が基台２０の下面と面一となる下側収容空間（脚装着部２１０を収容する部分）とを有するが、上側収容空間の一部または全部を基台２０の内部において厚さ方向上側部に配置するよう構成したり、下側収容空間の一部または全部を基台２０の下面から下方に突出させたりする等、他の構成とすることもできる。
【００５４】
また、基部１３１は、下側収容空間を脚挿着部２１０の外形に対応する空間形状として、脚挿着部２１０を挿入及び収容自在としているが、基部の下側収容空間の形状は、脚装着部を挿入して収容自在な限りにおいて任意の形状とすることができる。また。押圧部１４１は、基部１３１の上側収容空間に配設されて上下動自在とされ、付勢部材１４３の弾性的押圧付勢力に抗して下方に弾性的に押し下げ操作自在となっているが、押圧部の構成は、上記実施の形態のボタン状に限定されず、基部の上側収容空間に配設されて上下動自在とされ、下方に弾性的に押し下げ操作自在である限りにおいて、任意の構成とすることができる。
【００５５】
また、基部側係止部としての係止片１６０は、基部２０の下側収容空間において脚挿着部２１０を下側収容空間に収容したときに脚側係止部としての係止凹部２１４に対応する部位（係止凹部２１４の移動軌跡に対応する基部１３１の内周面の前側及び後側）に配設され、脚挿着部２１０を下側収容空間に収容したときに脚挿着部２１０の係止凹部２１４と整合して係止凹部２１４を凹凸の関係で係止する係止突部１６３を有するが、上記のとおり、脚挿着部を脚保持部の下側収容空間に完全に収容したときに、互いに係止状態となる脚側係止部及び基部側形成部とする限りにおいて、任意の構成とすることができる。
【００５６】
また、基部１３１の内部において押圧部１４１の軸固着部１４２に連結された連結部は連結軸１７１により構成されているが、連結部は、押圧部の押圧動作を解除部に伝達できる限りにおいて任意の構成とすることができる。また、解除部１７４は、基部１３１の下側収容空間における上方位置である原位置に配設され、押圧部１４１の押し下げ操作により連結軸１７１を介して原位置から下方の解除位置に移動すると共に、押圧部１４１の押し下げ操作の解除による付勢部材１４３の押圧付勢力により連結軸１７１を介して解除位置から原位置に復帰するが、解除部は、上記の動作によって、脚挿着部を下側収容空間に収容した状態で、押圧部の押し下げ操作により解除位置となることで、基部側係止部による脚側係止部の係止を解除する機能を発揮できる限りにおいて、上記構成の解除部１７４と異なる構成とすることができる。なお、解除部の構成は、解除対象となる基部側係止部の構成に依存する。
【００５７】
また、脚挿着部２１０は、更に、脚側係止部としての係止凹部２１４を設けた前後側面以外の側面である左右側面に、長さ方向に直線的に延びる凹部からなる脚側案内部としての案内溝２１１を備えているが、脚側案内部とは、脚側係止部と干渉しない側面に設ける限りにおいて、その他の側面に設けることができる。例えば、上記のように、脚側係止部を脚挿着部の左右側面に設けた場合は、脚側案内部な脚挿着部の前後側面に設けることができる。また、この場合、脚側案内部は脚側係止部とは異なる側面に設けられるが、好ましくは、一対の脚側係止部と９０度の角度間隔を置いた側面の位置に設ける。また、脚挿着部の少なくとも上端部を筒状として内側面を設け、その内側面に脚側係止部を設けてもよい。この場合、基部側係止部は、基部の上部収容空間の上端（実施の形態１の隔壁１３５等）から前記脚挿着部の筒状の上端部の内部空間に挿入される突出部を配設し、その突出部に基部側係止部を設ける。即ち、本発明においては、脚挿着部を基部の下側収容空間に完全に挿入したときに脚側係止部と基部側係止部とが互いに係止状態となるものであれば、任意の構成を採用することができる。
【００５８】
また、脚保持部１３０の基部側案内部としての延長突起１５３は、基部１３１の下側収容空間において脚挿着部２１０を下側収容空間に収容したときに脚側案内部としての案内溝２１４に対応する（対向する）部位に配設され、脚挿着部２１０を下側収容空間に収容したときに脚挿着部２１０の脚側案内部としての案内溝２１４と凹凸の関係で嵌合して当該脚挿着部２１０の挿入動作を案内する凸部からなるが、基部側案内部と脚側案内部とが互いに凹凸の関係で係合して案内機能を発揮する限りにおいて、基部側案内部を凹部として脚側案内部を凸部とする等、その他の構成とすることができる。
【００５９】
また、脚挿着部２１０の上端部を脚保持部１３０の下側収容空間に挿入した状態では、互いに嵌合状態となる脚側案内部としての案内溝２１４及び基部側案内部としての延長突起１５３のそれぞれの幅方向における対向側面の間に所定の間隙が設けられるよう、かつ、脚挿着部２１０の全体を脚保持部１３０の下側収容空間に挿入した状態では、互いに嵌合状態となる脚側案内部としての案内溝２１４及び基部側案内部としての延長突起１５３のそれぞれの幅方向における対向側面が密接状態となるよう、脚側案内部としての案内溝２１４の幅と基部側案内部としての延長突起１５３の幅とを設定して幅方向に余裕（調節しろ）を持たせているが、これらの幅をほぼ同一として余裕を持たせない構成とすることも可能である。
【００６０】
ところで、上記実施の形態では、脚５０を基台５０に固定するための取付構造として、脚保持部１３０及び脚挿着部２１０を構成したが、脚保持部１３０及び脚挿着部２１０と同様の構成を、支柱３０を基台にするための構成として採用してもよい。即ち、柱保持部１１０及び柱挿着部１９０に代えて、脚保持部１３０及び脚挿着部２１０と同様の構成を、基台２０の支柱３０の保持箇所に設けてもよい。
【符号の説明】
【００６１】
１０：提灯、２０：基台、２１：フランジ、２３：中心孔、２４：大径孔、２５，２６，２７：保持孔、２５：柱用孔、２６：脚用孔、２７：締結部材、２８，２９：収容凹部
３０：支柱、３５：柱連結具、４０：火袋、４１：下輪、５０：脚
６０：保持部材（脚連結具用）、７０：脚連結具、７２：装着部
１００：第１の保持部材、１１０：柱保持部、１１１：基部、１１２：中空壁、１１３：軸挿通部、１１４：凸部挿通部
１２０：連結部、１２５，１２６：固定部、１２７：締結部材
１３０：脚保持部、１３１：基部、１３２：支持突部、１３３：切欠部、１３５：隔壁、１３６：挿通孔
１４０：プッシュボタン、１４０，１５０，１６０，１７０：着脱機構
１４１：押圧部、１４２：軸固着部、１４３：付勢部材
１５０：案内部、１５１：案内突起、１５２：摺接突起、１５３：延長突起
１６０：係止片、１６１：弾性部、１６２：傾斜面、１６３：係止突部
１７０：解除部材、１７１：連結軸、１７２：座部、１７３，１７４，１７５：解除部、１７３：被案内部、１７４：係合部、１７４ａ：支持部、１７４ｂ：係合突部、１７５：摺動面、１７６：押圧突起
１８０：第２の保持部材
【図１】
2011165473.tif 000003
【図２】
2011165473.tif 000004
【図３】
2011165473.tif 000005
【図４】
2011165473.tif 000006
【図５】
2011165473.tif 000007
【図６】
2011165473.tif 000008
【図７】
2011165473.tif 000009
【図８】
2011165473.tif 000010
【図９】
2011165473.tif 000011
【図１０】
2011165473.tif 000012
【図１１】
2011165473.tif 000013
【図１２】
2011165473.tif 000014
【図１３】
2011165473.tif 000015
【図１４】
2011165473.tif 000016
【図１５】
2011165473.tif 000017
【図１６】
2011165473.tif 000018
【図１７】
2011165473.tif 000019
【図１８】
2011165473.tif 000020
【図１９】
2011165473.tif 000021
【図２０】
2011165473.tif 000022
【図２１】
2011165473.tif 000023